【事件の表示】
　特願２０１６−１８７５４２「ライティングダクト用コンセント」拒絶査定不服審判事件〔平成３０年　４月　５日出願公開、特開２０１８−　５５８４６、請求項の数（２）〕について、次のとおり審決する。
【結　論】
　原査定を取り消す。
　本願の発明は、特許すべきものとする。
【理　由】
第１　手続の経緯
　本願は、平成２８年９月２６日の出願であって、令和１年１２月２６日付けで拒絶理由が通知され、令和２年３月９日に意見書の提出とともに手続補正がされたものの、同年４月２４日付けで拒絶査定され（謄本発送は、同月２８日。）、これに対し、同年７月２０日に拒絶査定不服審判の請求がされると同時に手続補正がされたものである。
第２　原査定の概要
　原査定の概要は、本願の請求項１及び２に係る発明は、本願出願前に頒布された下記の引用文献１に記載された発明及び引用文献２〜３に記載された周知技術に基いて当業者が容易に発明をすることができたものであるから、特許法第２９条第２項の規定により特許を受けることができないというものである。
　引用文献１：実願昭５７−１７３７５１号（実開昭５９−７６０８９号）のマイクロフィルム
　引用文献２：実願平２−６４４６９号（実開平４−２４２８６号）のマイクロフィルム
　引用文献３：特開２０００−３７７２号公報
第３　本願請求項に係る発明（本願発明）
　本願の請求項１及び２に係る発明は、令和２年７月２０日に手続補正された特許請求の範囲の請求項１及び２に記載された事項により特定される以下のとおりのものである（以下、「本願発明１」及び「本願発明２」といい、まとめて「本願発明」という。）。
「【請求項１】
　導電部を有するライティングダクトに着脱自在に取り付けられるライティングダクト用コンセントにおいて；
　前記ライティングダクトに設けられた導電部との通電に供される第１外部接続用端子及び第２外部接続用端子を支持する第１内部ケースと；
　この第１内部ケースとの接合面を有し、前記第１内部ケースに嵌合可能に形成される第２内部ケースと；
　前記第１内部ケースに設けられ、前記ライティングダクト側に突出形成された第１半筒部と；
　前記第１内部ケースの第１半筒部に設けられた円筒部に挿通され、前記ライティングダクトに設けられたアース導電部との通電に供される直線状のアースピンと；
　前記第２内部ケースに設けられ、前記ライティングダクト側に突出形成され、前記第１半筒部と接合されることで筒部が形成される第２半筒部と；
　前記筒部に嵌合され、前記アースピンが底部を貫通する有底筒状のキャップと；
　前記第２内部ケースに設けられ、前記アースピンに接続されたアース接続用端子と；を具備し、
　前記筒部の上部は、前記第１半筒部と、前記第２半筒部とが前記アースピンを挟んで対向するように形成され、前記キャップは前記筒部の上部に嵌合されることを特徴とするライティングダクト用コンセント。
【請求項２】
　前記第１内部ケースと前記第２内部ケースは、接合された状態で外部ケースに収容される請求項１に記載のライティングダクト用コンセント。」
第４　引用文献の記載事項
　１　引用文献１の記載事項・引用発明
　原査定において引用された引用文献１には、図面とともに、次の事項が記載されている。
（１）「この考案は配線ダクト用プラグに関するものである。
　従来、第１図のように溝形の配線ダクト１が用いられ、任意位置に電気機器への電力取出用のプラグ２が接続取付される。配線ダクト１は鋼板からなるリップ溝形のコア３を絶縁被覆４で覆ったものであり、絶縁被覆４に両フランジに対向形成したガイド溝５の底面に、導体６が表面露出状態に埋込まれている。コア３はアースとなるものであり、ウエブ面で絶縁被覆４にコア露出溝７が形成されている。８はキャップである。
　プラグ２は第２図ないし第８図のように構成されている。図において、２１はボディであり、２つ割りの絶縁体２２ａ，２２ｂの基端板部３４がボディ２１の上部に嵌合され、ビス２３によりねじ孔２４に固定される。絶縁体２２ａ，２２ｂには分割面にアース棒挿通孔となるアース棒挿通溝２７が形成され、その両側に栓刃取付溝２８が形成されている。一方の絶縁体２２ａの下端にはアース端子片取付凹部２９が設けられている。栓刃３０は先端が屈曲しており、その屈曲部分３０ａが絶縁体２２ａ，２２ｂから突出して栓刃取付溝２８に嵌合される。栓刃３０は基端に接続用受刃３０ｂを有している。アース端子片３１は接続用受刃３１ａを有しており、アース端子片取付凹部２９に嵌合される。アース棒３２は中間部分が蛇行状に湾曲しており、両端の直線部分がアース棒挿通溝２７の両端の小径部分に嵌合し、蛇行状部分が中間の幅広部分に遊嵌する。アース棒３２の内端はアース端子片３１に突当り、外端は絶縁体２２ａ，２２ｂの先端面から突出する。」
（明細書２頁２行〜３頁１２行）
（２）「したがって、この考案の目的は、着脱が簡単に行なえ、かつストッパで取外し時に配線ダクトに傷をつけることのない配線ダクト用プラグを提供することである。
　この考案の一実施例を第９図及び第１０図に示す。すなわち、この配線ダクト用プラグ２１は、（中略）その他の構造は、第１図ないし第８図に示した例と同様である。」
（明細書５頁１２行〜６頁１行）
（３）引用文献１においては、上記（２）の「配線ダクト用プラグ２１」との記載前には「ボディ２１」が記載されている一方で、この「配線ダクト用プラグ２１」との記載の後には、「配線ダクト用プラグ２１」と同じものを指すと認められる箇所に「プラグ２’」と記載されていることから、この「配線ダクト用プラグ２１」との記載中の、符号「２１」は「２’」の誤記であると認められる。
（４）第１図からは、配線ダクト１からの電力取出しのために、２つの栓刃３０を導体６に接続する構成が見て取れる。
（５）第２図及び第３図からは、絶縁体２２ａ及び２２ｂのそれぞれに、分割面を相互に接合することで筒形状となる半円筒部が、上部に形成された構成が見て取れる。
（６）第１図のコア露出溝７の下側からコア３にアース接続されている部材は、第３図から、アース棒３２の外端であることが理解できる。
　上記の記載事項、認定事項及び図示内容を総合し、本願発明１の記載に則って整理すると、引用文献１には、次の発明（以下、「引用発明」という。）が記載されていると認められる。
［引用発明］
「導体６を有する配線ダクト１に着脱が簡単に行える配線ダクト用プラグ２’において、
　配線ダクト１に設けられた導体６に接続して電力取出しをする２つの栓刃３０の先端が嵌合する栓刃取り付け溝２８を有する絶縁体２２ｂと、
　この絶縁体２２ｂと接合する分割面を有し、絶縁体２２ｂと接合することができる絶縁体２２ａと、
　前記絶縁体２２ｂに設けられ、前記絶縁体２２ｂの上部に形成された半円筒部と、
　絶縁体２２ｂ及び絶縁体２２ａのアース棒挿通溝２７に挿通され、前記配線ダクト１のコア３に外端の直線部分がアース接続され、中間部分が蛇行状に湾曲しているアース棒３２と、
　前記絶縁体２２ａに設けられ、前記絶縁体２２ａの上部に形成された半円筒部であって、前記絶縁体２２ｂの上部に形成された半円筒部と接合することで筒状部となる半円筒部と、
　前記絶縁体２２ａの下端のアース端子片取付凹部２９に嵌合され、アース棒３２の内端が突当るアース端子片３１と、
　を具備し、
　前記筒状部は、絶縁体２２ｂ及び絶縁体２２ａのアース棒挿通溝２７にアース棒３２が挿通されるよう形成されている、配線ダクト用プラグ２’。」　
　２　引用文献２の記載事項
（１）原査定において周知技術の例として引用された引用文献２には、図面とともに、次の事項が記載されている。
「国産車、外国車を問わず様々なソケットに挿入固定できる四枚刃の弾性端子４を装着させた筒状容体１と、該筒状容体１へ螺着させる先端に押圧端子５の接点部５ａを突出させたキャップ状容体２とからなるものであり、前記筒状容体１は内部に管ヒューズＡを収容する筒状のヒューズ保持部材３が形成された長さ方向に二分割される容体１Ａ．１Ｂより成るものである。
　前記キャップ状容体２は、第１図図示の如く樹脂製等の縦断面略台形状の容体から成り、頂部へは金属製の押圧端子５の接点部５ａを管ヒューズＡの端部と電気的に接続されたコイルスプリング６で内側から付勢して突出させ、底部の内周へは螺子部２ａを形成させたものである。」
（明細書６頁３〜１７行）
（２）引用文献２の第１図及び第２図から、キャップ状容体２は、容体１Ａ．１Ｂの横方向の先端に螺合されるものであることが見て取れる。
（３）引用文献３の記載事項
　原査定において周知技術の例として引用された引用文献３には、図面とともに、次の事項が記載されている。
「【００１９】一方、電気的接続機構ブロック２０は、全体が略筒状に形成されてプラグ本体１内に回動自在に枢支される軸体２２、軸体２２の上部から左右に突出する係止片２３、軸体２２の下部に設けられるカム２４、軸体２２の下部に突設されてプラグ本体１の側面に設けたスライド溝６から外部に突出する操作レバー２５が合成樹脂により一体に形成された本体２１と、軸体２２に取着され、先端部分が係止片２３と略平行に軸体２２の上部から左右に突出する一対の接触子２６と、一端部にて各接触子２６に接離自在に接触し且つ他端部にて照明器具５０の電源線（図示せず）に接続される一対の端子板２７と、導電性部材によりピン状に形成され、軸体２２の軸中心に形成された挿通孔２２ａに挿通されるアース電極２８と、一端部がアース電極２８の下端に当接し且つ他端部が照明器具５０のアース線５１に接続されるアース端子２９とで構成される。」
第５　当審の判断
　１　本願発明１について
（１）対比
　本願発明１と引用発明とを対比すると、引用発明の「導体６」は、本願発明１の「導電部」に相当し、以下同様に、
「配線ダクト１」は「ライテンングダクト」に、
「着脱が簡単に行える」ことは「着脱自在に取り付けられる」ことに、
「配線ダクト用プラグ２’」は「ライティングダクト用コンセント」に、
「導体６に接続して電力取出しをする」ことは「導電部との通電に供される」ことに、
「２つの栓刃３０」は「第１外部接続用端子及び第２外部接続用端子」に、
「２つの栓刃３０の先端が嵌合する栓刃取り付け溝２８を有する」構成は「第１外部接続用端子及び第２外部接続用端子を支持する」構成に、
「絶縁体２２ｂ」は「第１内部ケース」に、
「絶縁体２２ｂと接合する分割面」は「第１内部ケースとの接合面」に、
「絶縁体２２ｂと接合することができる」ことは「第１内部ケースに嵌合可能に形成される」ことに、
「絶縁体２２ａ」は「第２内部ケース」に、
「前記絶縁体２２ｂの上部に形成され」ることは「ライティングダクト側に突出形成され」ることに、
「絶縁体２２ｂ」の「半円筒部」は「第１半円筒部」に、
「前記配線ダクト１のコア３」は「ライティングダクトに設けられたアース伝導部」に、
「コア３に外端の直線部分がアース接続され」ることは「アース導電部との通電に供される」ことに、
「アース棒３２」は「アースピン」に、
「前記絶縁体２２ａの上部に形成され」ることは「ライティングダクト側に突出形成され」ることに、
「前記絶縁体２２ｂの上部に形成された半円筒部と接合することで筒状部となる」ことは「前記第１半筒部と接合されることで筒部が形成される」ことに、
「絶縁体２２ａ」の「半円筒部」は「第２半筒部」に、
「絶縁体２２ａの下端のアース端子片取付凹部２９に嵌合され」ることは「第２内部ケースに設けられ」ることに、
「アース棒３２の内端が突当る」ことは「アースピンに接続され」ることに、
「アース端子片３１」は「アース接続用端子」に、それぞれ相当する。
　また、引用発明の「前記筒状部は、絶縁体２２ｂ及び絶縁体２２ａのアース棒挿通溝２７にアース棒３２が挿通されるよう形成され」る構成は、前記筒状部の上部であっても同じ構成であるといえるから、本願発明１の「前記筒部の上部は、前記第１半筒部と、前記第２半筒部とが前記アースピンを挟んで対抗するように形成され」ている構成に相当する。
（２）一致点・相違点
　そうすると、本願発明１と引用発明とは次のアの点で一致し、イ及びウの点で相違する。
　ア　一致点　
「導電部を有するライティングダクトに着脱自在に取り付けられるライティングダクト用コンセントにおいて；
　前記ライティングダクトに設けられた導電部との通電に供される第１外部接続用端子及び第２外部接続用端子を支持する第１内部ケースと；
　この第１内部ケースとの接合面を有し、前記第１内部ケースに嵌合可能に形成される第２内部ケースと；
　前記第１内部ケースに設けられ、前記ライティングダクト側に突出形成された第１半筒部と；
　前記ライティングダクトに設けられたアース導電部との通電に供されるアースピンと；
　前記第２内部ケースに設けられ、前記ライティングダクト側に突出形成され、前記第１半筒部と接合されることで筒部が形成される第２半筒部と；
　前記第２内部ケースに設けられ、前記アースピンに接続されたアース接続用端子と；を具備し、
　前記筒部の上部は、前記第１半筒部と、前記第２半筒部とが前記アースピンを挟んで対向するように形成されるライティングダクト用コンセント。」
　である点。
　イ　相違点１
　本願発明１は、アースピンが「前記第１内部ケースの第１半筒部に設けられた円筒部に挿通され」、「直線状」であるのに対し、引用発明のアース棒３２は「絶縁体２２ｂ及び絶縁体２２ａのアース棒挿通溝２７に挿通され」、「中間部分が蛇行状に湾曲している」構成である点。
　ウ　相違点２
　本願発明１は、「前記筒部に嵌合され、前記アースピンが底部を貫通する有底筒状のキャップ」を有し、「前記キャップは前記筒部の上部に嵌合される」構成であるのに対し、引用発明は、このような構成を有しない点。
（３）相違点についての判断
　先ず、相違点１について検討する。
　引用文献２には、長さ方向に分割される容体１Ａ．１Ｂ内部に管ヒューズＡを収容する筒状のヒューズ保持部材３が形成される構成が記載されているに過ぎず、上記相違点１に係る本願発明１の、「直線状」のアースピンが「前記第１内部ケースの第１半筒部に設けられた円筒部に挿通され」る構成に相当する構成は、記載されていない。
　また、引用文献３には、プラグ本体１内で回動自在に枢支され、合成樹脂により一体に形成された本体２１の軸体２２において、軸体２２の挿通孔２２ａにピン状のアース電極２８を挿通する構成が記載されているに過ぎず、上記相違点１に係る本願発明１の、アースピンが「前記第１内部ケースの第１半筒部に設けられた円筒部に挿通され」る構成に相当する構成は、記載されていない。
　そうすると、引用発明と引用文献２及び３に記載された周知技術には、上記相違点１に係る本願発明１と同様の構成が記載されていないのだから、引用発明に、引用文献２及び３に記載された周知技術を組み合わせたとしても、上記相違点１に係る本願発明１の構成に至らない。
　したがって、相違点２について検討するまでもなく、本願発明１は、引用発明及び引用文献２及び３に記載された周知技術に基いて当業者が容易に発明をすることができたものとはいえない。
　２　本願発明２について
　本願発明２は、本願発明１に限定を加えたものであるから、本願発明１と同様に引用発明及び引用文献２及び３に記載された周知技術から当業者が容易に発明をすることができたものとはいえない。
第６　むすび
　以上のとおりであるから、原査定の理由によっては、本願を拒絶することができない。
　また、他に本願を拒絶すべき理由を発見しない。
　したがって、結論のとおり審決する。